(57)【要約】【課題】防塵性を有しつつ、光透過性樹脂が外側に露出する量を減らすことができる。【解決手段】遮光性樹脂により形成され、発光素子が内部に設けられる箱状の第１の挿入部と、前記発光素子と対向する位置に配置される受光素子とが内部に設けられる箱状の第２の挿入部と、を有するケースの、第１の挿入部の第２の挿入部に対向する面、及び第２の挿入部の第１の挿入部に対向する面には、それぞれ、開口部が対向するように形成される。ケースには、第１の挿入部及び第２の挿入部の内側から前記開口部を充填する充填部が光透過性樹脂により一体形成されている。【選択図】  図２
2014229793.tif 000002
【特許請求の範囲】
【請求項１】
遮光性樹脂により形成され、発光素子が内部に設けられる箱状の第１の挿入部と、前記発光素子と対向する位置に配置される受光素子とが内部に設けられる箱状の第２の挿入部と、を有するケースを備え、
前記第１の挿入部の前記第２の挿入部に対向する面、及び前記第２の挿入部の前記第１の挿入部に対向する面には、それぞれ、開口部が対向するように形成され、
前記ケースには、前記第１の挿入部及び前記第２の挿入部の内側から前記開口部を充填する充填部が光透過性樹脂により一体形成されている
ことを特徴とするフォトインタラプタ。
【請求項２】
請求項１に記載のフォトインタラプタであって、
前記充填部には、前記開口部が設けられた面を覆う板状部が光透過性樹脂により一体形成される
ことを特徴とするフォトインタラプタ。
【請求項３】
請求項１に記載のフォトインタラプタであって、
前記ケースは、前記第１の挿入部と前記第２の挿入部が箱状の土台部分から突出した正面視略Ｕ字形状であり、
前記光透過性樹脂は、前記略Ｕ字形状の内側部分を覆うように帯状に形成された部分を有する
ことを特徴とするフォトインタラプタ。
【請求項４】
請求項１に記載のフォトインタラプタであって、
前記第１の挿入部又は前記第２の挿入部の内部には、前記光透過性樹脂により前記充填部と一体形成されるレンズが設けられる
ことを特徴とするフォトインタラプタ。
【発明の詳細な説明】
【技術分野】
【０００１】
本発明は、フォトインタラプタに関する。
【背景技術】
【０００２】
特許文献１には、発光部及び受光部が固定された本体部と、その長手方向両端側に一体に設けられ、一方の内部に発光部が収容されると共に他方に受光部が収容された一対の装着部とが遮光性樹脂により一体に成形されており、光路に対応する位置に光路用スリットが形成され、光路用スリットが光透過性樹脂により外側から被覆されているフォトインタラプタが開示されている。
【先行技術文献】
【特許文献】
【０００３】
【特許文献１】特開２０１２−８４７５２号公報
【発明の概要】
【発明が解決しようとする課題】
【０００４】
特許文献１に記載の発明は、光透過性樹脂により光路用スリットを覆うことで、スリットに外側から塵埃が進入することを防止することができる（防塵性）。しかしながら、特許文献１に記載の発明は、防塵性を持たせるために光透過性樹脂が外側に多く露出しており、防塵性のない場合と比べ、油、有機溶剤等に弱い、すなわち耐薬品性に劣るという問題がある。
【０００５】
さらに、特許文献１に記載の発明は、光路用スリットが光透過性樹脂により外側から被覆されているため、スリットの形状を外側から認識することができないという問題がある。
【０００６】
本発明はこのような事情に鑑みてなされたもので、防塵性を有しつつ、光透過性樹脂が外側に露出する量を減らしたフォトインタラプタを提供することを目的とする。
【課題を解決するための手段】
【０００７】
上記課題を解決するために、本発明に係るフォトインタラプタは、例えば、遮光性樹脂により形成され、発光素子が内部に設けられる箱状の第１の挿入部と、前記発光素子と対向する位置に配置される受光素子とが内部に設けられる箱状の第２の挿入部と、を有するケースを備え、前記第１の挿入部の前記第２の挿入部に対向する面、及び前記第２の挿入部の前記第１の挿入部に対向する面には、それぞれ、開口部が対向するように形成され、前記ケースには、前記第１の挿入部及び前記第２の挿入部の内側から前記開口部を充填する充填部が光透過性樹脂により一体形成されていることを特徴とする。
【０００８】
本発明に係るフォトインタラプタによれば、遮光性樹脂により形成された第１の挿入部及び第２の挿入部の内側から、開口部を充填する光透過性樹脂が一体形成されているため、防塵性を有しつつ、光透過性樹脂が外側に露出する量を減らしたフォトインタラプタを提供することができる。
【０００９】
ここで、前記充填部には、前記開口部が設けられた面を覆う板状部が光透過性樹脂により一体形成されてもよい。これにより、防塵性を高めることができる。
【００１０】
ここで、前記ケースは、前記第１の挿入部と前記第２の挿入部が箱状の土台部分から突出した正面視略Ｕ字形状であり、前記光透過性樹脂は、前記略Ｕ字形状の内側部分を覆うように帯状に形成された部分を有してもよい。これにより、ゲートを外側から視認できなくして見栄えを良くしつつ、防塵性を高めることができる。
【００１１】
ここで、前記充填部には、前記ケースの内側に向けてレンズが一体形成されてもよい。これにより、発光する光の出力を高くしたり、受光素子へ入射する光を多くしたりすることができる。
【発明の効果】
【００１２】
本発明によれば、防塵性を有しつつ、光透過性樹脂が外側に露出する量を減らすことができる。
【図面の簡単な説明】
【００１３】
【図１】本発明の第１の実施の形態に係るフォトインタラプタ１の斜視図である。
【図２】フォトインタラプタ１の構成の詳細を説明する図であり、（Ａ）はケース１０の斜視図であり、（Ｂ）は内枠２０の斜視図であり、（Ｃ）はフォトインタラプタ１の長手方向の断面図である。
【図３】本発明の変形例に係るフォトインタラプタ１Ａを示す図であり、（Ａ）は長手方向の断面図であり、（Ｂ）は内部に設けられる内枠２０Ａを示す斜視図である。
【図４】本発明の変形例に係るフォトインタラプタ１Ｂを示す図であり、（Ａ）は長手方向の断面図であり、（Ｂ）は内部に設けられる内枠２０Ｂを示す斜視図である。
【図５】本発明の第２の実施の形態に係るフォトインタラプタ２の斜視図である。
【図６】フォトインタラプタ２の構成の詳細を説明する図であり、（Ａ）はケース本体１３の斜視図であり、（Ｂ）は防塵部材２０Ｃの斜視図であり、（Ｃ）はフォトインタラプタ２の長手方向の断面図である。
【発明を実施するための形態】
【００１４】
以下、本発明の実施形態を、図面を参照して詳細に説明する。
【００１５】
＜第１の実施の形態＞
図１は、本発明の一例であるフォトインタラプタ１の斜視図である。図２は、フォトインタラプタ１の構成の詳細を説明する図であり、（Ａ）はケース１０の斜視図であり、（Ｂ）は内枠２０の斜視図であり、（Ｃ）はフォトインタラプタ１の長手方向の断面図である。
【００１６】
フォトインタラプタ１は、図１に示すように、主として、遮光性樹脂により形成されたケース１０と、光透過性樹脂により形成された内枠２０とを備えている。
【００１７】
ケース１０は、遮光性樹脂、例えば、ポリカーボネート（ＰＣ）、ポリアセタール（ＰＯＭ）等により形成される。ケース１０は、図１及び図２（Ａ）に示すように、主として、ケース本体１１と、スリット１２とを有する。
【００１８】
ケース本体１１は、図１及び図２（Ａ）に示すように、基板（図示せず）に立てた状態で取り付けられた発光素子（図示せず）が挿入される挿入部１１Ａと、基板（図示せず）に立てた状態で取り付けられた受光素子が挿入される挿入部１１Ｂと、基板（図示せず）、コネクタ（図示せず）等を覆うベース１１Ｃと、を有する。
【００１９】
挿入部１１Ａと、挿入部１１Ｂと、ベース１１Ｃとは、ベース１１Ｃから挿入部１１Ａ及び挿入部１１Ｂが所定の間隔で突出するように、一体形成される。そのため、ケース本体１１、すなわちフォトインタラプタ１は、正面（図１及び図２（Ａ）の左斜め下方向）からみて、略Ｕ字形状（略コの字形状）となっている。
【００２０】
挿入部１１Ａ及び挿入部１１Ｂは、内部が空洞の箱型に形成される。また、ベース１１Ｃは、内部が空洞の筒型に形成される。
【００２１】
発光素子及び受光素子は、挿入部１１Ａ及び挿入部１１Ｂの内部に、発光部と受光部とが対向するように設けられる。ベース１１Ｃには、基板（図示せず）が位置決めされて取り付けられる。そのため、発光素子及び受光素子は、ケース１０に対して変位不能に設けられる。
【００２２】
なお、基板及びコネクタは必須ではない。基板を設けない場合には、発光素子及び受光素子を図示しない任意の部品を介してケース１０に設ければよい。
【００２３】
スリット１２Ａは、挿入部１１Ａの挿入部１１Ｂに対向する面に設けられ、スリット１２Ｂは、挿入部１１Ｂの挿入部１１Ａに対向する面に設けられる。スリット１２Ａとスリット１２Ｂとは、対向するように設けられる。スリット１２Ａ、１２Ｂは、図２（Ａ）、（Ｃ）に示すように、それぞれ、挿入部１１Ａ、挿入部１１Ｂを厚さ方向に貫通するように形成されている。
【００２４】
スリット１２Ａ、１２Ｂは、挿入部１１Ａ及び挿入部１１Ｂの光路に対応する位置に設けられる。ここで、光路とは、発光素子からの光が受光素子に導かれるまでの経路である。具体的には、挿入部１１Ａ内に設けられた発光素子からの光は、スリット１２Ａ、挿入部１１Ａと挿入部１１Ｂとの間（検出溝）の空間、及びスリット１２Ｂを通過して、受光素子で受光される。この光の通路が光路である。
【００２５】
フォトインタラプタ１は、検出溝を物体が通過すると、受光素子での受光がなくなり、これにより物体の移動が検出される。スリット１２Ａ、１２Ｂは、物体の位置検出の精度を高くするために設けられるものである。
【００２６】
内枠２０は、光透過性樹脂、例えばポリカーボネート（ＰＣ）、アクリル（ＰＭＭＡ）等により形成される。内枠２０は、図２（Ｂ）に示すように、主として、ケース１０の内側を覆うベース２１と、充填部２２Ａ、２２Ｂとを有する。
【００２７】
ベース２１は、挿入部１１Ａの内側（光路と交わる面）を覆う第１の突出部２１Ａと、挿入部１１Ｂの内側（光路と交わる面）を覆う第２の突出部２１Ｂと、第１の突出部２１Ａと第２の突出部２１Ｂとを連結する連結部２１Ｃとを有する。連結部２１Ｃは、ベース１１Ｃの内側を覆っている。第１の突出部２１Ａと、第２の突出部２１Ｂと、連結部２１Ｃとは、一体に形成される。
【００２８】
なお、本実施の形態では、第１の突出部２１Ａ、第２の突出部２１Ｂは、それぞれ挿入部１１Ａ、挿入部１１Ｂの内側の面全体を覆うように形成されているが、第１の突出部２１Ａ、第２の突出部２１Ｂは、少なくともスリット１２Ａ、１２Ｂを覆っていればよく、挿入部１１Ａ、挿入部１１Ｂの内側の面を部分的に覆うようにしてもよい。
【００２９】
第１の突出部２１Ａは、スリット１２Ａを充填する充填部２２Ａを有する。また、第２の突出部２１Ｂは、スリット１２Ｂを充填する充填部２２Ｂを有する。充填部２２Ａは、第１の突出部２１Ａと一体形成され、充填部２２Ｂは、第２の突出部２１Ｂと一体形成される。
【００３０】
次に、ケース１０及び内枠２０の製造方法について説明する。
まず、遮光性樹脂を用いて、ケース１０を成形する。ケース１０は、例えば、射出成型により形成される。
【００３１】
次に、成形されたケース１０を内枠２０の成形用の金型に入れて、内枠２０を射出成形する（インサート成形）。これにより、ケース１０と内枠２０とが一体形成される。このとき、ゲートを連結部２１Ｃに設けることで、フォトインタラプタ１の外観の見栄えが良くなる。
【００３２】
なお、インサート成形に限らず、ケース１０を成形してから、ケース１０を成形したのと同一の金型を用いて内枠２０とケース１０とを一体成形する二色成形を用いて、ケース１０及び内枠２０を製造することもできる。インサート成形、二色成形のどちらを用いたとしても、成形後のケース１０に対して、内枠２０が一体となるように、内枠２０を射出成形することに変わりはない。
【００３３】
このようにケース１０と内枠２０とを一体形成することで、ケース１０の内側から、光透過性樹脂（充填部２２Ａ、２２Ｂ）でスリット１２Ａ、１２Ｂを充填することができる。
【００３４】
本実施の形態によれば、防塵性を有しつつ、光透過性樹脂が外側に露出する量を減らすことができる。
【００３５】
また、本実施の形態によれば、光透過性樹脂の露出量が最小限となるため、防塵性のないフォトインタラプタと比べて、耐薬品性を同程度に保つことができる。特に、光透過性樹脂として、光透過率が高いが耐薬品性に劣る樹脂（例えば、アクリル）を用いる場合に効果的である。
【００３６】
また、本実施の形態によれば、光透過性樹脂のベース２１が、帯状に、ケース１０の内側を略Ｕ字形状（略コの字形状）で覆うように形成されるため、温度変化等により樹脂が収縮又は膨張しても、ゴミがベース２１とケース本体１１との間に留まるため、スリット１２Ａ、１２Ｂを介して、フォトインタラプタ１の内部へ外部からゴミが進入することを防止することができる。
【００３７】
さらに、本実施の形態によれば、光路用スリットが外側から被覆されてないため、スリットの形状を外側から認識することができる。
【００３８】
なお、本実施の形態では、挿入部１１Ａ及び挿入部１１Ｂの光路に対応する位置にスリット１２Ａ、１２Ｂが設けられたが、挿入部１１Ａ及び挿入部１１Ｂの光路に対応する位置に設けられる開口部の幅は任意であり、スリットに限定されるものではない。
【００３９】
＜第１の実施の形態の変形例１＞
本発明の第１の実施の形態は、光透過性樹脂（ベース２１）を、遮光性樹脂のケース１０の内側を略Ｕ字形状（略コの字形状）で覆うように帯状に形成したが、光透過性樹脂によりスリットを内部から充填する方法はこれに限られない。
【００４０】
図３は、第１の実施の形態の変形例に係るフォトインタラプタ１Ａを示す図であり、（Ａ）は長手方向の断面図であり、（Ｂ）は内枠２０Ａの斜視図である。フォトインタラプタ１Ａのケース１０は、フォトインタラプタ１のケース１０と同一であるため、説明を省略する。また、フォトインタラプタ１と同一の部分については、同一の符号を付し、説明を省略する。
【００４１】
挿入部１１Ａ及び挿入部１１Ｂの内部には、図３（Ａ）に示すように、それぞれ内枠２０Ａが一体形成される。
【００４２】
内枠２０Ａは、図３（Ａ）及び（Ｂ）に示すように、ベース２３Ａ、２３Ｂと、ベース２３Ａ、２３Ｂと一体形成された充填部２２Ａ、２２Ｂとを有する。なお、ベース２３Ａ、２３Ｂ、同一の形状であり、充填部２２Ａ、２２Ｂは同一の形状であるため、図３（Ｂ）においては、ベース２３Ｂ及び充填部２２Ｂについての図示を省略する。
【００４３】
このようなケース１０及び内枠２０Ａは、まず遮光性樹脂を用いてケース１０を成形し、次に成形されたケース１０を内枠２０Ａの成形用の金型に入れて、内枠２０Ａを射出成形する（インサート成形）ことで、ケース１０と内枠２０Ａとが一体形成される。
【００４４】
なお、インサート成形に限らず、ケース１０を成形してから、ケース１０を成形したのと同一の金型内で内枠２０Ａをケース１０と一体で成形させる二色成形を用いて、ケース１０及び内枠２０Ａを製造することもできる。
【００４５】
これにより、ケース１０の内側から、光透過性樹脂（充填部２２Ａ、２２Ｂ）でスリット１２Ａ、１２Ｂを充填することができる。
【００４６】
この変形例では、防塵性を有しつつ、光透過性樹脂が外側に露出する量を減らす効果は保ちつつ、光透過性樹脂の量をさらに減らすことができる。
【００４７】
また、この変形例では、光透過性樹脂が帯状でないため、光透過性樹脂の成型時の収縮によるケース１０の変形、すなわちスリット１２Ａとスリット１２Ｂとの間の距離や、光路におけるスリット１２Ａ、１２Ｂの長さ等が変わることを防止することができる。
【００４８】
なお、ベース２３Ａ、２３Ｂの形状、大きさは、任意に設計することができる。ベース２３Ａ、２３Ｂは、少なくともスリット１２Ａ、１２Ｂを覆っていればよく、挿入部１１Ａ、挿入部１１Ｂの内側の面を部分的に覆うようにしてもよい。ただし、樹脂が収縮、膨張等した時の防塵性を考慮すると、ベース２３Ａ、２３Ｂをできるだけ大きくすることが望ましい。また、ベース２３Ａ、２３Ｂの形状も板状に限られない。例えば、ベース２３Ａ、２３Ｂは、挿入部１１Ａ、１１Ｂの内側を覆う略コの字形状でもよいし、挿入部１１Ａ、１１Ｂの内側を囲む筒状でもよい。
【００４９】
＜第１の実施の形態の変形例２＞
本発明の第１の実施の形態は、光透過性樹脂でスリットを内部から充填したが、光透過性樹脂はスリットを内部から充填する以外の用途に用いることも可能である。
【００５０】
図４は、第１の実施の形態の変形例に係るフォトインタラプタ１Ｂを示す図であり、（Ａ）は長手方向の断面図であり、（Ｂ）は内枠２０Ｂの斜視図である。フォトインタラプタ１Ｂのケース１０は、フォトインタラプタ１のケース１０と同一であるため、説明を省略する。また、フォトインタラプタ１と同一の部分については、同一の符号を付し、説明を省略する。
【００５１】
図４（Ａ）に示すように、ケース１０の内部には内枠２０Ｂが一体形成される。内枠２０Ｂは、図４（Ｂ）に示すように、主として、ケース１０の内側を覆うベース２１と、充填部２２Ａ、２２Ｂと、レンズ２４Ａ、２４Ｂとを有する。
【００５２】
第１の突出部２１Ａには、充填部２２Ａが形成された面と反対側の面にレンズ２４Ａが形成される。また、第２の突出部２１Ｂは、充填部２２Ｂが形成された面と反対側の面にレンズ２４Ｂが形成される。レンズ２４Ａは、第１の突出部２１Ａと一体形成され、レンズ２４Ｂは、第２の突出部２１Ｂと一体形成される。なお、レンズ２４Ａ、２４Ｂは、挿入部１１Ａ、挿入部１１Ｂの内部に設けられていればよく、ベース２１を介して充填部２２Ａ、２２Ｂと一体形成されていてもよいし、ベース２１を介さずに充填部２２Ａ、２２Ｂと一体形成されていてもよい。
【００５３】
レンズ２４Ａ、２４Ｂは、光路上に設けられる。発光素子から照射された光はレンズ２４Ａによりスリット１２Ａに集められる。また、スリット１２Ｂを通過した光は、レンズ２４Ｂにより集光されて受光素子に入射する。
【００５４】
このようなケース１０及び内枠２０Ｂは、フォトインタラプタ１と同様、まず遮光性樹脂を用いてケース１０を成形し、次に成形されたケース１０を内枠２０Ｂの成形用の金型に入れて、内枠２０Ｂを射出成形する（インサート成形）ことにより一体形成される。なお、インサート成形に限らず、ケース１０を成形してから、ケース１０を成形したのと同一の金型内で内枠２０Ｂをケース１０と一体で成形させる二色成形を用いて、ケース１０及び内枠２０Ｂを製造することもできる。
【００５５】
これにより、ケース１０の内側から、光透過性樹脂（充填部２２Ａ、２２Ｂ）でスリット１２Ａ、１２Ｂを充填することができる。また、内枠２０Ｂにレンズ２４Ａ、２４Ｂを設けるため、発光する光の出力を高くすることができる。また、レンズ２４Ａ、２４Ｂを設けることにより、受光素子へ入射する光を多くすることができる。さらに、レンズ２４Ａ、２４Ｂが内枠２０Ｂと一体形成されるため、ケース１０内に別途レンズを設ける工程を減らし、かつレンズ２４Ａ、２４Ｂの位置決め精度を高くすることができる。
【００５６】
なお、本実施の形態では、挿入部１１Ａの内部にレンズ２４Ａが設けられ、挿入部１１Ｂの内部にレンズ２４Ｂが設けられたが、レンズ２４Ａ及びレンズ２４Ｂは必ずしも両方必須ではなく、一方のみが設けられていてもよい。
【００５７】
＜第２の実施の形態＞
本発明の第１の実施の形態は、光透過性樹脂を、ケース１０の内側を略Ｕ字形状（略コの字形状）で覆うように帯状に形成したが、光透過性樹脂によりスリットを内部から充填する方法はこれに限られない。
【００５８】
本発明の第２の実施の形態は、光透過性樹脂によりケースの一部を形成する形態である。以下、第２の実施の形態に係るフォトインタラプタ２について説明する。なお、第１の実施の形態と同一の部分については、同一の符号を付し、説明を省略する。
【００５９】
図５は、本発明の一例であるフォトインタラプタ２の斜視図である。図６は、フォトインタラプタ２の構成の詳細を説明する図であり、（Ａ）はケース１０Ａの斜視図であり、（Ｂ）はケース２０Ｃの斜視図であり、（Ｃ）はフォトインタラプタ２の長手方向の断面図である。
【００６０】
フォトインタラプタ２は、図５に示すように、主として、遮光性樹脂により形成されたケース１０Ａと、光透過性樹脂により形成されたケース２０Ｃとを備えている。
【００６１】
ケース１０Ａは、主として、ケース本体１３と、スリット１２とを有する。
ケース本体１３は、内部が空洞の箱状に形成される。ケース本体１３には、基板（図示せず）に立てた状態で取り付けられた発光素子（図示せず）又は受光素子（図示せず）が挿入される。すなわち、ケース本体１３は、発光素子又は受光素子が挿入される挿入部である。
【００６２】
ケース本体１３には、発光素子からの光が受光素子に導かれるまでの経路である光路に対応する位置にスリット１２が設けられる。スリット１２は、他のケース本体１３に対向する面に、スリット１２同士が対向するように設けられる。
【００６３】
ケース２０Ｃは、図６（Ｂ）に示すように、ケース本体２５と、充填部２２Ａ、２２Ｂとを有する。
【００６４】
ケース本体２５は、ケース本体１３の内側の面と一体形成される板状の部分を有する突出部２５Ａ、２５Ｂと、ケース本体１３の底面と連続して形成される筒状のベース２５Ｃと、を有する。突出部２５Ａ、２５Ｂと、ベース２５Ｃとは、一体形成される。
【００６５】
次に、ケース本体１３及びケース２０Ｃの製造方法について説明する。
【００６６】
まず、遮光性樹脂を用いて、ケース本体１３を成形する。
次に、成形されたケース本体１３をケース２０Ｃの成形用の金型に入れて、ケース２０Ｃを射出成形する（インサート成形）。第１の実施の形態と同様、インサート成形に限らず、二色成形を用いてケース本体１３及びケース２０Ｃを製造することもできる。
【００６７】
これにより、ケース本体１３の内側から、光透過性樹脂（充填部２２Ａ、２２Ｂ）でスリット１２を充填することができる。
【００６８】
本実施の形態によれば、防塵性を有しつつ、スリットの近傍において光透過性樹脂が外側に露出する量を減らすことができる。また、光路用スリットが外側から被覆されてないため、スリットの形状を外側から認識することができる。
【００６９】
また、本実施の形態によれば、光透過性樹脂（突出部２５Ａ、２５Ｂ）がケース本体１３の内側全面に形成されるため、温度変化等により樹脂が収縮又は膨張しても、スリット１２Ａ、１２Ｂを介して、フォトインタラプタ２の内部へ外部からゴミが進入することを防止することができる。
【００７０】
さらに、本実施の形態によれば、ケースが箱状であり、かつ光透過性樹脂のうちケースの内部に形成される部分が板状であるため、光透過性樹脂の成型時の収縮によりスリット１２とスリット１２との間の距離や、光路におけるスリット１２の長さ等が変わることを防止することができる。
【００７１】
なお、本実施の形態では、遮光性樹脂を用いてケース本体１３を成形した後で光透過性樹脂を用いてケース２０Ｃを成形したが、光透過性樹脂を用いてケース２０Ｃを成形した後で遮光性樹脂を用いてケース本体１３を成形するようにしてもよい。要するに、ケース本体１３とケース２０Ｃとが一体形成されていればよく、成形の順序や成形方法は問わない。
【００７２】
また、本実施の形態では、ケース１０Ａとケース２０Ｃとの接続面は平面であるが、ケース１０Ａとケース２０Ｃとの接続面の形状はこれに限られない。例えば、ケース２０Ｃの一部がケース１０Ａに入り込むような形でケース１０Ａとケース２０Ｃとの接続面が形成されていてもよい。例えば、遮光性樹脂としてポリアセタールを用い、光透過性樹脂としてポリカーボネート又はアクリルを用いた場合には、遮光性樹脂と光透過性樹脂とが密着しにくく、遮光性樹脂と光透過性樹脂とが離れてしまう場合がある。そのため、ケース２０Ｃの一部がケース１０Ａに入り込むような形でケース１０Ａとケース２０Ｃとの接続面を形成することで、遮光性樹脂と光透過性樹脂とが離れてしまうことを防止することができる。
【００７３】
また、本実施の形態では、突出部２５Ａ、２５Ｂの板状の部分は、それぞれケース本体１３の内側の面全体を覆うように形成されているが、突出部２５Ａ、２５Ｂの板状の部分は、少なくともスリット１２を覆っていればよく、ケース本体１３の内側の面を部分的に覆うようにしてもよい。
【００７４】
また、本実施の形態では、光透過性樹脂（充填部２２Ａ、２２Ｂ）でスリット１２を充填したが、光透過性樹脂を用いて、充填部２２Ａや充填部２２Ｂにレンズを一体形成してもよい。なお、レンズは、ケース本体１３の内側に向けて形成すればよい。本実施の形態では、突出部２５Ａの充填部２２Ａが形成された面と反対側の面にレンズが形成され、突出部２５Ｂの充填部２２Ｂが形成された面と反対側の面にレンズが形成されるようにすればよい。
【００７５】
以上、この発明の実施形態を、図面を参照して詳述してきたが、具体的な構成はこの実施形態に限られるものではなく、この発明の要旨を逸脱しない範囲の設計変更等も含まれる。
【符号の説明】
【００７６】
１、１Ａ、１Ｂ、２：フォトインタラプタ、１０、１０Ａ：ケース、１１：ケース本体、１１Ａ、１１Ｂ：挿入部、１１Ｃ：ベース、１２、１２Ａ、１２Ｂ：スリット、１３：ケース本体、２０、２０Ａ、２０Ｂ：内枠、２０Ｃ：ケース、２１：ベース、２１Ａ：第１の突出部、２１Ｂ：第２の突出部、２１Ｃ：連結部、２２Ａ、２２Ｂ：充填部、２３Ａ、２３Ｂ：ベース、２４Ａ、２４Ｂ：レンズ、２５：ケース本体、２５Ａ、２５Ｂ：突出部、２５Ｃ：ベース
【図１】
2014229793.tif 000003
【図２】
2014229793.tif 000004
【図３】
2014229793.tif 000005
【図４】
2014229793.tif 000006
【図５】
2014229793.tif 000007
【図６】
2014229793.tif 000008